(57)【要約】【課題】  侵入の発生後に所定の動作の実行を未然に停止する旨の指令があった場合でもそれ以降の対策を実現できる。【解決手段】  ゲートウェイ装置１０は、侵入が発生した旨の情報を受信する無線通信部３０と、侵入が発生した旨の情報の受信後経過した時間を計測する計測部４８と、所定の動作の実行を未然に停止する旨の指令を受付ける監視解除スイッチ５０と、侵入が発生した旨の情報の受信から指令の受付までに経過した時間の長さが所定の長さを上回る場合、指令の受付の後に、侵入者を撮像するカメラ３６とを含む。【選択図】        図１
2006235811.tif 000002
【特許請求の範囲】
【請求項１】
侵入が発生した旨の情報を受信するための受信手段と、
前記侵入が発生した旨の情報の受信後経過した時間を計測するための計測手段と、
所定の動作の実行を未然に停止する旨の指令を受付けるための受付手段と、
前記侵入が発生した旨の情報の受信から指令の受付までに経過した時間の長さが所定の長さを上回る場合、前記指令の受付の後に、前記所定の動作を実行するための実行手段とを含む、防犯装置。
【請求項２】
前記実行手段は、
前記侵入が発生した旨の情報の受信から指令の受付までに経過した時間の長さが所定の長さを上回るか否かを判断するための判断手段と、
撮像するための撮像手段と、
前記侵入が発生した旨の情報の受信から指令の受付までに経過した時間の長さが所定の長さを上回ると前記判断手段が判断した場合、前記指令の受付の後に撮像をするように、前記撮像手段を制御するための手段とを含む、請求項１に記載の防犯装置。
【請求項３】
前記撮像手段は、予め定められた範囲を撮像するための手段を含む、請求項２に記載の防犯装置。
【請求項４】
前記実行手段は、前記撮像手段が撮像すると、撮像により得たデータを所定の通信端末に送信するための送信手段をさらに含む、請求項２に記載の防犯装置。
【請求項５】
前記実行手段は、
前記侵入が発生した旨の情報の受信から指令の受付までに経過した時間の長さが所定の長さを上回るか否かを判断するための判断手段と、
所定の装置を制御する旨の信号を出力するための出力手段と、
前記侵入が発生した旨の情報の受信から指令の受付までに経過した時間の長さが所定の長さを上回ると前記判断手段が判断した場合、前記指令の受付の後に前記所定の装置を制御する旨の信号を出力するように、前記出力手段を制御するための手段とを含む、請求項１に記載の防犯装置。
【請求項６】
前記実行手段は、
前記侵入が発生した旨の情報の受信から指令の受付までに経過した時間の長さが所定の長さを上回るか否かを判断するための判断手段と、
警告するための警告手段と、
前記侵入が発生した旨の情報の受信から指令の受付までに経過した時間の長さが所定の長さを上回ると前記判断手段が判断した場合、前記指令の受付の後に警告をするように、前記警告手段を制御するための手段とを含む、請求項１に記載の防犯装置。
【発明の詳細な説明】
【技術分野】
【０００１】
本発明は、防犯装置に関し、特に、夜盗、泥棒または潜入者を検知できる防犯装置に関する。
【背景技術】
【０００２】
特許文献１には、制御部と、防犯モードに入るための設定部と、所定時間を計時する計時部と、センサまたは機器の状態を検知する検知部と、センサまたは機器の状態を登録する登録部とを有し、制御部は、センサまたは機器の状態が変化した時から所定時間内に登録部に登録された状態になれば防犯モードを解除し、そうでなければ侵入と判定する監視装置が開示されている。特許文献１に開示された発明によると、侵入者に気づかれず防犯を行うことができる。
【０００３】
特許文献２には、複数戸または一戸建て住戸に設けられる防犯設備における監視動作として、設定されると直ちに監視状態に入る在宅モードと、設定されてから所定時間が経過した後に監視状態に入る外出モードとの２種類を設け、在宅モードと外出モードとのいずれかである設定を行ない、設定された在宅モードまたは外出モードを解除する兼用スイッチを備えた防犯設備が開示されている。特許文献２に開示された発明によると、在宅中の家人が就寝前に防犯モードを設定する際、所定の時間が経過するまで待たなくとも、直ちに監視状態に入ったことを確認できる。
【特許文献１】特開２００４−３３４４７０号公報
【特許文献２】特開２０００−１３２７６５号公報
【発明の開示】
【発明が解決しようとする課題】
【０００４】
しかし、前述の特許文献１および特許文献２に開示された発明では、防犯装置による所定の動作の実行が侵入者によって未然に停止された場合、それ以降の対策が困難になるという問題点がある。
【０００５】
本発明は上述の問題点を解決するためになされたものであって、その目的は、侵入の発生後に所定の動作の実行を未然に停止する旨の指令があった場合でもそれ以降の対策を実現する防犯装置を提供することにある。
【課題を解決するための手段】
【０００６】
上記目的を達成するために、本発明のある局面に従うと、防犯装置は、受信手段と、計測手段と、受付手段と、実行手段とを含む。受信手段は、侵入が発生した旨の情報を受信する。計測手段は、侵入が発生した旨の情報の受信後経過した時間を計測する。受付手段は、所定の動作の実行を未然に停止する旨の指令を受付ける。実行手段は、侵入が発生した旨の情報の受信から指令の受付までに経過した時間の長さが所定の長さを上回る場合、指令の受付の後に、所定の動作を実行する。
【０００７】
また、上述の実行手段は、判断手段と、撮像手段と、撮像手段を制御するための手段とを含むことが望ましい。判断手段は、侵入が発生した旨の情報の受信から指令の受付までに経過した時間の長さが所定の長さを上回るか否かを判断する。撮像手段は、撮像する。撮像手段を制御するための手段は、侵入が発生した旨の情報の受信から指令の受付までに経過した時間の長さが所定の長さを上回ると判断手段が判断した場合、指令の受付の後に撮像をするように、撮像手段を制御する。
【０００８】
また、上述の撮像手段は、予め定められた範囲を撮像するための手段を含むことが望ましい。
【０００９】
また、上述の実行手段は、撮像手段が撮像すると、撮像により得たデータを所定の通信端末に送信するための送信手段をさらに含むことが望ましい。
【００１０】
また、上述の実行手段は、判断手段と、出力手段と、出力手段を制御するための手段とを含むことが望ましい。判断手段は、侵入が発生した旨の情報の受信から指令の受付までに経過した時間の長さが所定の長さを上回るか否かを判断する。出力手段は、所定の装置を制御する旨の信号を出力する。出力手段を制御するための手段は、侵入が発生した旨の情報の受信から指令の受付までに経過した時間の長さが所定の長さを上回ると判断手段が判断した場合、指令の受付の後に所定の装置を制御する旨の信号を出力するように、出力手段を制御する。
【００１１】
また、上述の実行手段は、判断手段と、警告手段と、警告手段を制御するための手段とを含むことが望ましい。判断手段は、侵入が発生した旨の情報の受信から指令の受付までに経過した時間の長さが所定の長さを上回るか否かを判断する。警告手段は、警告する。警告手段を制御するための手段は、侵入が発生した旨の情報の受信から指令の受付までに経過した時間の長さが所定の長さを上回ると判断手段が判断した場合、指令の受付の後に警告をするように、警告手段を制御する。
【発明の効果】
【００１２】
本発明に係る防犯装置は、侵入の発生後に所定の動作の実行を未然に停止する旨の指令があった場合でもそれ以降の対策を実現することができる。
【発明を実施するための最良の形態】
【００１３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１４】
図１を参照して、本実施の形態に係る防犯システムは、ゲートウェイ装置１０と、送信機１２と、センサ１４と、外部機器１８に接続された外部機器制御装置１６と、通信網２０、ＩＳＰ（Internet Service Provider）サーバ２２、およびインターネット網２４を介してゲートウェイ装置１０に接続された通信端末２６とを含む。ゲートウェイ装置１０は、送信機１２が送信した信号に基づき外部機器制御装置１６を介して外部機器１８を制御する防犯装置である。ゲートウェイ装置１０は、通信端末２６との間で通信する装置でもある。送信機１２は、侵入の発生があった旨を送信する装置である。センサ１４は、侵入の発生を検出する装置である。外部機器制御装置１６は、外部機器１８を制御する装置である。通信端末２６は、ゲートウェイ装置１０から撮像により得たデータを受信する端末である。通信端末２６は、ゲートウェイ装置１０に対し指示を送信する端末でもある。
【００１５】
ゲートウェイ装置１０は、無線通信部３０と、インターネット通信部３２と、Ｉ／Ｆ（インターフェイス）３４と、カメラ３６と、設定部３８と、表示ランプ４０と、スピーカ４２と、システム制御部４４と、記憶部４６と、計測部４８とを含む。無線通信部３０は、送信機１２および外部機器制御装置１６との間で無線ＬＡＮ（Local Area Network）として通信する装置である。無線通信部３０の通信規格は特に限定されない。ＩＥＥＥ（the Institute of Electrical and Electronic Engineers）８０２．１１ｂ、Ｂｌｕｅｔｏｏｔｈ（登録商標）、およびＩｒＤＡ（Infrared Data Association）はそれぞれ無線通信部３０の通信に利用できる規格の一種である（本実施の形態の場合、通信規格はＩＥＥＥ８０２．１１ｂに準拠することとする）。無線通信部３０は、送信機１２との間で通信することにより、センサ１４が検出した、侵入が発生した旨の情報を受信する装置でもある。インターネット通信部３２は、通信網２０、ＩＳＰサーバ２２、インターネット網２４を介して通信端末２６と通信する装置である。インターネット通信部３２が出力したデータは通信網２０を介してＩＳＰサーバ２２に入力される。ＩＳＰサーバ２２は、自らに入力されたデータをインターネット網２４に出力する。インターネット網２４（実際にはインターネット網２４を形成するサーバおよび通信ケーブル）は、ＩＳＰサーバ２２が出力したデータを通信端末２６へ導く。通信端末２６からインターネット通信部３２へ情報を送信する場合、上述の手順とは逆の手順でデータが導かれる。インターフェイス３４は、図示しないコンピュータから制御用の情報を受付ける。カメラ３６は、撮像する装置である。本実施の形態の場合、カメラ３６は、ＣＣＤ（Charge Coupled Device）カメラであることとする。設定部３８は、ユーザなどから本実施の形態に係る防犯システムに関する設定を受付ける装置である。表示ランプ４０は、点灯することにより、本実施の形態に係る防犯システムが監視モードにあるか否かを表わすランプである。スピーカ４２は、警告する装置である。システム制御部４４は、ゲートウェイ装置１０を制御する回路である。記憶部４６は、システム制御部４４がゲートウェイ装置１０を制御するために必要な情報を記憶する装置である。計測部４８は、侵入者による侵入が発生した旨の情報の受信後経過した時間を計測する装置である。
【００１６】
設定部３８は、監視／解除スイッチ５０を含む。監視／解除スイッチ５０は、監視モードを設定する旨の指令を受付けるとともに、監視モードを解除する旨の指令（本実施の形態の場合、監視モードを解除する旨の指令は、所定の動作の実行を未然に停止する旨の指令に該当する）を受付けることもできる装置である。本実施の形態の場合、上述した「所定の動作」とされる動作は複数存在する。それら複数の「所定の動作」の本実施の形態における具体的な内容は後述する。
【００１７】
送信機１２は、インターフェイス６０と、設定部６２と、制御部６４と、無線通信部６６とを含む。インターフェイス６０は、センサ１４から侵入の発生を検知した旨の信号を受付ける装置である。設定部６２は、センサ１４からの信号の受付けおよびゲートウェイ装置１０に対する送信に関する設定を受付ける装置である。制御部６４は、送信機１２の各部を制御する回路である。無線通信部６６は、ゲートウェイ装置１０との間で無線通信する装置である。
【００１８】
外部機器制御装置１６は、接続部７０と、制御部７２と、記憶部７４と、無線通信部７６とを含む。接続部７０は、外部機器１８に接続され、外部機器１８に対し、外部機器１８を制御する旨の信号を出力する装置である。制御部７２は、本実施の形態に係る外部機器制御装置１６の各部を制御する回路である。記憶部７４は、制御部７２が制御を実行するために必要な情報を記憶する装置である。無線通信部７６は、ゲートウェイ装置１０との間で無線通信する装置である。
【００１９】
図２は、本実施の形態に係る防犯システムが配置された家屋を表わす図である。図２において、ゲートウェイ装置１０は屋内に配置されている。図２において、外部機器１８は、エアコンまたは照明器具である。窓に取付けられたセンサ１４は、窓が開くことにより、マグネットに接したリードスイッチが「ＯＦＦ」となる結果、窓が開いたことを検出する。玄関に取付けられたセンサ１４は、玄関が開くことにより、マグネットに接したリードスイッチが「ＯＦＦ」となる結果、玄関が開いたことを検出する。ゲートウェイ装置１０の記憶部４６は、玄関が開いたことを表わす情報、窓が開いているか否かを表わす情報、および窓や玄関の開閉の回数を表わす情報を記憶する。
【００２０】
図３を参照して、本実施の形態に係る防犯システムで実行されるプログラムは、監視モードの設定および監視モードの解除に関し、以下のような制御を実行する。
【００２１】
ステップ１００（以下、ステップをＳと略す）にて、システム制御部４４は、監視／解除スイッチ５０が押されたか否かを判断する。監視／解除スイッチ５０が押されたと判断した場合（Ｓ１００にてＹＥＳ）、処理はＳ１０２へと移される。もしそうでないと（Ｓ１００にてＮＯ）、処理はＳ１００へと戻される。
【００２２】
Ｓ１０２にて、システム制御部４４は、表示ランプ４０が点灯していたか否かを判断する。表示ランプ４０が点灯していたと判断した場合（Ｓ１０２にてＹＥＳ）、処理はＳ１０４へと移される。もしそうでないと（Ｓ１０２にてＮＯ）、処理はＳ１０８へと移される。
【００２３】
Ｓ１０４にて、システム制御部４４は、表示ランプ４０を消灯させる。Ｓ１０６にて、システム制御部４４は、監視状態を解除する。なお、監視状態を解除するための動作は周知であるので、ここではその詳細な説明は繰返さない。
【００２４】
Ｓ１０８にて、システム制御部４４は、記憶部４６が記憶しているセンサ情報（センサ１４により検出される、侵入の発生の有無を表わす情報）により、玄関や窓が閉まっているか否かを判断する。本実施の形態の場合、Ｓ１０８の判断に用いるために、システム制御部４４は無線通信部３０が随時受信したセンサ情報を予め記憶部４６に記憶させている。玄関や窓が閉まっていると判断した場合（Ｓ１０８にてＹＥＳ）、処理はＳ１１０へと移される。もしそうでないと（Ｓ１０８にてＮＯ）、処理はＳ１１４へと移される。Ｓ１１０にて、システム制御部４４は、表示ランプ４０を点灯させる。Ｓ１１２にて、表示ランプ４０が点灯した後、所定の時間（本実施の形態の場合、ユーザがインターフェイス３４を介して自由に設定できることとする）が経過すると、ゲートウェイ装置１０は、監視状態になる。なお、監視状態における動作は周知であるので、ここではその詳細な説明は繰返さない。Ｓ１１４にて、スピーカ４２はエラー音を発する。
【００２５】
Ｓ１１６にて、システム制御部４４は、監視／解除スイッチ５０が押されたか否かを判断する。監視／解除スイッチ５０が押されたと判断した場合（Ｓ１１６にてＹＥＳ）、処理はＳ１１８へと移される。もしそうでないと（Ｓ１１６にてＮＯ）、処理はＳ１０８へと移される。Ｓ１１８にて、システム制御部４４は、スピーカ４２にエラー音を止めさせる。Ｓ１２０にて、ゲートウェイ装置１０は、監視が解除された状態を維持する。なお、監視が解除された状態自体の動作は周知であるので、ここではその詳細な説明は繰返さない。
【００２６】
図４および図５を参照して、防犯システムで実行されるプログラムは、侵入者に対する対策に関し、以下のような制御を実行する。
【００２７】
Ｓ２００にて、センサ１４は、自らが取付けられた玄関（センサ１４によっては窓）が開いたことを検出する。これにより、センサ１４は、侵入の発生を検出することとなる。センサ１４は、玄関（センサ１４によっては窓）が開いた旨の信号を、送信機１２のインターフェイス６０に出力する。送信機１２の制御部６４は、インターフェイス６０が受付けた信号を無線通信部６６に出力する。無線通信部６６は、侵入が発生した旨の信号をゲートウェイ装置１０の無線通信部３０に送信する。ゲートウェイ装置１０の無線通信部３０は、侵入が発生した旨の信号を受信する。
【００２８】
Ｓ２０２にて、侵入が発生した旨の信号が受信されると、計測部４８は、その受信のときから経過した時間を計測する。これにより、計測部４８は、侵入が発生した旨の情報の受信後経過した時間を計測することとなる。
【００２９】
Ｓ２０４にて、システム制御部４４は、監視／解除スイッチ５０が押されたか否かを判断する。監視／解除スイッチ５０が押されたと判断した場合（Ｓ２０４にてＹＥＳ）、処理はＳ２０６へと移される。もしそうでないと（Ｓ２０４にてＮＯ）、処理はＳ２０８へと移される。
【００３０】
Ｓ２０６にて、システム制御部４４は、侵入が発生した旨の信号を受信したときから（すなわち侵入が発生した旨の情報の受信から）監視／解除スイッチ５０が押された時まで（すなわち所定の動作の実行を未然に停止する旨の指令の受付まで）に経過した時間の長さが所定の長さを上回るか否かを判断する。本実施の形態の場合、Ｓ２０６にてシステム制御部４４が判断に用いる「所定の長さ」は、ユーザがインターフェイス３４を介して自由に設定できることとする。ユーザは、Ｓ２０６にてシステム制御部４４が判断に用いる「所定の長さ」をセンサ１４ごとに設定できることとする。本実施の形態の場合、窓に取付けられたセンサ１４については、Ｓ２０６にてシステム制御部４４が判断に用いる「所定の長さ」が「０」に設定されていることとする。所定の長さを上回ると判断した場合（Ｓ２０６にてＹＥＳ）、処理はＳ２１０へと移される。もしそうでないと（Ｓ２０６にてＮＯ）、処理はＳ２１４へと移される。
【００３１】
Ｓ２０８にて、システム制御部４４は、侵入が発生した旨の信号を受信したときから所定の時間が経過したか否かを判断する。本実施の形態の場合、このステップにおける「所定の時間」とは、Ｓ２０６における「所定の時間」と同じ時間であることとする。所定の時間が経過したと判断した場合（Ｓ２０８にてＹＥＳ）、処理はＳ２１０へと移される。もしそうでないと（Ｓ２０８にてＮＯ）、処理はＳ２０２へと移される。
【００３２】
Ｓ２１０にて、スピーカ４２は、警報音を鳴らすことにより、侵入者に対し警告する。システム制御部４４は、警報音を鳴らすようにスピーカ４２を制御する。Ｓ２１２にて、インターネット通信部３２は、通信網２０、ＩＳＰサーバ２２、インターネット網２４を介して、通信端末２６へ、侵入が発生した旨の情報を送信する。無線通信部３０は、外部機器１８を制御する旨の信号（本実施の形態の場合、照明器具を点灯する旨の信号）を出力する。システム制御部４４は、外部機器１８を制御する旨の信号を出力するように、無線通信部３０を制御する。外部機器制御装置１６の無線通信部７６は、外部機器１８を制御する旨の信号を受信する。制御部７２は、無線通信部７６が受信した信号に対応する信号を接続部７０に出力する。接続部７０は制御部７２が出力した信号を外部機器１８に出力する。これにより、外部機器１８である家電機器が制御される。Ｓ２１４にて、表示ランプ４０は消灯する。システム制御部４４は、消灯するように表示ランプ４０を制御する。Ｓ２１６にて、ゲートウェイ装置１０は、監視状態を解除する。監視状態の解除自体の動作は周知であるので、ここではその詳細な説明は繰返さない。
【００３３】
Ｓ２１８にて、システム制御部４４は、監視／解除スイッチ５０が押されたか否かを判断する。監視／解除スイッチ５０が押されたと判断した場合（Ｓ２１８にてＹＥＳ）、処理はＳ２２０へと移される。もしそうでないと（Ｓ２１８にてＮＯ）、処理はＳ２２４へと移される。
【００３４】
Ｓ２２０にて、スピーカ４２は、警報音を停止する。カメラ３６は、予め定められた範囲（所定の動作の実行を未然に停止する旨の指令の受付前に予め定められた範囲）を撮像する。これにより、監視／解除スイッチ５０を押した者が撮像され得る。スピーカ４２は指令を入力した者を撮像した旨の音声メッセージ（本実施の形態の場合、「画像を連絡先へメール送信しました」というメッセージ）を出力する。システム制御部４４は、音声メッセージを出力するようにスピーカ４２を制御する。
【００３５】
Ｓ２２２にて、インターネット通信部３２は、通信網２０、ＩＳＰサーバ２２、インターネット網２４を介して、通信端末２６に対し、カメラ３６が撮像した画像のデータを送信する。
【００３６】
Ｓ２２４にて、システム制御部４４は、通信端末２６から指示を表わす情報が送信されたか否かを判断する。情報が送信されたと判断した場合（Ｓ２２４にてＹＥＳ）、処理はＳ２２６へと移される。もしそうでないと（Ｓ２２４にてＮＯ）、処理はＳ２１８へと移される。
【００３７】
Ｓ２２６にて、システム制御部４４は、インターネット通信部３２により受信された情報が監視状態を解除する旨の処理か否かを判断する。監視状態を解除する旨の処理と判断した場合（Ｓ２２６にてＹＥＳ）、処理はＳ２２８へと移される。もしそうでないと（Ｓ２２６にてＮＯ）、処理はＳ２３８へと移される。
【００３８】
Ｓ２２８にて、ゲートウェイ装置１０は、監視状態を解除する。監視状態の解除自体の動作は周知であるので、ここではその詳細な説明は繰返さない。
【００３９】
Ｓ２３０にて、システム制御部４４は、通信端末２６から指示を表わす情報が送信されたか否かを判断する。指示を表わす情報が送信されたと判断した場合（Ｓ２３０にてＹＥＳ）、処理はＳ２３２へと移される。もしそうでないと（Ｓ２３０にてＮＯ）、処理はＳ２３０へと戻される。
【００４０】
Ｓ２３２にて、システム制御部４４は、通信端末２６から受信した情報が監視状態を解除する旨の処理を指示するものか否かを判断する。監視状態を解除する旨の処理を指示するものと判断した場合（Ｓ２３２にてＹＥＳ）、処理はＳ２３４へと移される。もしそうでないと（Ｓ２３２にてＮＯ）、処理はＳ２３６へと戻される。
【００４１】
Ｓ２３４にて、ゲートウェイ装置１０は、監視状態を解除する。監視状態の解除自体の動作は周知であるので、ここではその詳細な説明は繰返さない。
【００４２】
Ｓ２３６にて、システム制御部４４は、通信端末２６から送信された情報が表わす処理を実施する。本実施の形態の場合、通信端末２６から送信された情報が表わす処理とは、次の処理である（本実施の形態の場合、どのような処理を実施するかということは、ユーザがインターフェイス３４を介して自由に設定できることとする）。第１の処理は、照明器具（外部機器１８の一種）を点灯させる処理である。その理由は、警報を鳴らすときに併せて点灯させる事により威嚇効果を高めることが期待される点にある。照明器具を点灯させるため、システム制御部４４は、点灯を命じる旨の信号を照明器具の外部機器制御装置１６に送信する。第２の処理は、エアコン（外部機器１８の一種）を起動させる処理である。本実施の形態の場合、システム制御部４４は、冬季であれば室内を暖房するように、夏季であれば室内を冷房するように、エアコンを起動する。その主たる目的は、使用者が帰宅に先だって携帯電話などにより宅内の空調を運転開始し、帰宅までに快適な環境を準備する点にある。
【００４３】
Ｓ２３８にて、システム制御部４４は、通信端末２６から送信された情報が表わす処理を実施する。本実施の形態の場合、通信端末２６から送信された情報が表わす処理とは、所定の動作の実行を未然に停止する旨の指令の受付前に予め定められた範囲（本実施の形態の場合、侵入者がいると予想される範囲）を撮像する処理である。
【００４４】
以上のような構造およびフローチャートに基づく、防犯システムの動作について説明する。
【００４５】
システム制御部４４は、監視／解除スイッチ５０が押されたか否かを判断する（Ｓ１００）。ユーザが外出時に監視／解除スイッチ５０を押した場合（Ｓ１００にてＹＥＳ）、システム制御部４４は、表示ランプ４０が点灯していたか否かを判断する（Ｓ１０２）。この場合、表示ランプ４０が点灯していない（監視状態が解除されている）はずなので（Ｓ１０２にてＮＯ）、システム制御部４４は、記憶部４６が記憶しているセンサ情報により、玄関や窓が閉まっているか否かを判断する（Ｓ１０８）。このとき、たまたま窓が開いていたとすると（Ｓ１０８にてＮＯ）、スピーカ４２はエラー音を発する（Ｓ１１４）。エラー音が発生すると、システム制御部４４は、監視／解除スイッチ５０が押されたか否かを判断する（Ｓ１１６）。この場合、監視／解除スイッチ５０が押されないままにユーザによって窓が閉められたとすると（Ｓ１１６にてＮＯ）、Ｓ１０８の処理を経て、システム制御部４４は、表示ランプ４０を点灯させる（Ｓ１１０）。表示ランプが点灯すると、ゲートウェイ装置１０は監視状態になる（Ｓ１１２）。
【００４６】
なお、本実施の形態の場合、通常人が出入りする玄関などに取付けられるセンサ１４は、窓に取付けられるセンサ１４とは異なり、監視／解除スイッチ５０の操作後、監視状態に入るまでの遅延時間が設けられていることとする。遅延時間が設けられているので、ユーザは、監視／解除スイッチ５０の操作後、センサ１４を動作させることなく玄関を通って外出することができる。
【００４７】
ゲートウェイ装置１０が監視状態になった後、玄関が開くことでセンサ１４が侵入の発生を検出すると、ゲートウェイ装置１０の無線通信部３０は、侵入が発生した旨の信号を受信する（Ｓ２００）。信号が受信されると、計測部４８は、その受信のときから経過した時間を計測する（Ｓ２０２）。時間が計測されると、システム制御部４４は、監視／解除スイッチ５０が押されたか否かを判断する（Ｓ２０４）。監視／解除スイッチ５０が押されたと判断した場合（Ｓ２０４にてＹＥＳ）、システム制御部４４は、侵入が発生した旨の情報の受信から監視／解除スイッチ５０が押された時までに経過した時間の長さが所定の長さを上回るか否かを判断する（Ｓ２０６）。
【００４８】
この場合、侵入が発生した旨の情報の受信から指令の受付まで（玄関が開いてから監視／解除スイッチ５０が押されるまで）に経過した時間の長さが所定の長さを上回るとシステム制御部４４が判断したとすると（Ｓ２０６にてＹＥＳ）、指令の受付の後（監視／解除スイッチ５０が押された後）に、無線通信部３０、インターネット通信部３２、およびスピーカ４２は、所定の動作を実行する。「所定の動作」のうち、最初の動作として、スピーカ４２は、警報音を鳴らすことによる警告をする（Ｓ２１０）。警報音が鳴ると、インターネット通信部３２は、上述した「所定の動作」のうち、第２の動作として、通信端末２６へ、侵入が発生した旨の情報を送信する。無線通信部３０は、上述した「所定の動作」のうち、第３の動作として、点灯するように、照明器具（外部機器１８の一種）を制御する旨の信号を出力する（Ｓ２１２）。システム制御部４４は、この場合（侵入が発生した旨の情報の受信から指令の受付までに経過した時間の長さが所定の長さを上回ると自らが判断した場合）、指令の受付の後に照明器具などを制御する旨の信号を出力したり、警告をしたりするように、無線通信部３０およびスピーカ４２を制御することとなる。
【００４９】
照明器具を点灯すると、システム制御部４４は、監視／解除スイッチ５０が押されたか否かを判断する（Ｓ２１８）。この場合、監視／解除スイッチ５０が押されたとすると（Ｓ２１８にてＹＥＳ）、カメラ３６は、予め定められた範囲を撮像する。併せて、スピーカ４２は、カメラで撮像した旨の音声メッセージを出力する（Ｓ２２０）。これにより、侵入が発生した旨の情報の受信から指令の受付までに経過した時間の長さが所定の長さを上回るとシステム制御部４４が判断した場合、カメラ３６が予め定められた範囲（所定の動作の実行を未然に停止する旨の指令の受付前に予め定められた範囲）を撮像することとなる。カメラ３６が撮像し、かつ警告が終了すると、インターネット通信部３２は、撮像により得た侵入者の顔などを表わすデータを通信端末２６へ送信する（Ｓ２２２）。
【００５０】
データが送信されると、システム制御部４４は、通信端末２６から指示を表わす情報が送信されたか否かを判断する（Ｓ２３０）。指示を表わす情報が送信されたとすると（Ｓ２３０にてＹＥＳ）、システム制御部４４は、その情報が監視状態を解除する処理を指示するものか否かを判断する（Ｓ２３２）。この場合、監視状態を解除する旨の処理を指示するものではないとすると（Ｓ２３２にてＮＯ）、システム制御部４４は、通信端末２６からの情報が表わす処理を実施する（Ｓ２３６）。
【００５１】
以上のようにして、本実施の形態に係るゲートウェイ装置は、侵入が発生した旨の情報の受信後、所定の指令の受付（監視／解除スイッチを押すこと）までに経過した時間の長さが所定の長さを上回る場合、その指令の受付の後に、所定の動作を実行する。本実施の形態にかかるゲートウェイ装置の場合、「所定の動作」として、次の処理を実施する。第１の処理は、予め定められた範囲をカメラで撮像する処理である（監視モードが解除されない場合でも、通信機器から指示を受けると撮像する）。第２の処理は、撮像した画像を通信端末の端末に送信する処理である（この処理により、通信端末から警備会社の端末へ侵入があったことを通報できる）。第３の処理は、音声により撮像したことを侵入者に知らせる処理である。第４の処理は、任意の家電機器（本実施の形態であれば照明器具およびエアコン）を制御する処理である。第５の処理は、侵入者に対し、撮像した画像を送信した旨を通知することにより、侵入者を威嚇する処理である。これにより、侵入者が監視モードを解除しても、引続き侵入者に対する対処を可能とすることができる。所定の指令の入力が監視／解除スイッチを押すことに過ぎないので、監視を解除する手順を忘れる（その結果監視モードを解除できなくなる）ことは少なくなる。操作の手順を登録したり変更したりする操作がわずらわしくなくなる。監視モードを解除したのが家人であった場合、通信端末からそのことを容易に確認できる。侵入者があったとき、ユーザが宅内の様子を容易に知ることができる。その結果、侵入の発生後に所定の動作の実行を未然に停止する旨の指令があった場合でもそれ以降の特に有効な対策を実現し、かつその指令を入力した者を容易に特定できる防犯装置を提供することができる。
【００５２】
なお、無線通信部３０に代えて、送信機１２および仲介装置１６との間で有線により通信する装置を用いてもよい。
【００５３】
また、外部機器１８は、エアコンまたは照明器具以外の機器であってもよい。たとえば、外部機器１８は、テレビ、ビデオデッキ、あるいは目覚し時計であってもよい。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】本発明の実施の形態に係る防犯システムの構成図である。
【図２】本実施の形態に係る防犯システムが配置された家屋を表わす図である
【図３】本発明の実施の形態に係る監視モードの設定処理および監視モードの解除処理の制御の手順を示すフローチャートである。
【図４】本発明の実施の形態に係る侵入者に対する対策処理の制御の手順を示す第１のフローチャートである。
【図５】本発明の実施の形態に係る侵入者に対する対策処理の制御の手順を示す第２のフローチャートである。
【符号の説明】
【００５６】
１０  ゲートウェイ装置、１２  送信機、１４  センサ、１６  外部機器制御装置、１８  外部機器、２０  通信網、２２  ＩＳＰサーバ、２４  インターネット網、２６  通信端末、３０，６６，７６  無線通信部、３２  インターネット通信部、３４，６０  インターフェイス、３６  カメラ、３８，６２  設定部、４０  表示ランプ、４２  スピーカ、４４  システム制御部、４６，７４  記憶部、４８  計測部、５０  監視／解除スイッチ、６４，７２  制御部、７０  接続部。
【図１】
2006235811.tif 000003
【図２】
2006235811.tif 000004
【図３】
2006235811.tif 000005
【図４】
2006235811.tif 000006
【図５】
2006235811.tif 000007